(57)【要約】【課題】応答速度を向上させつつ、表示画質を保持することが可能な液晶表示装置を提供する。【解決手段】各画素２０の液晶素子２２に対する表示駆動の際に、映像信号Ｄ１に基づき、各画素２０に対する表示駆動を時間的に２つに分割した分割駆動を行う。また、各サブフレーム期間ＳＦ１，ＳＦ２用の映像信号Ｄ２１，Ｄ２２に対してオーバードライブ処理を行う際に、サブフレーム期間ＳＦ１では、適切なオーバードライブ量よりも大きなオーバードライブ量を用いる。一方、サブフレーム期間ＳＦ２では、適切なオーバードライブ量よりも小さなオーバードライブ量を用いる。これにより、液晶の応答特性が改善されると共に、１フレーム期間全体において、オーバーシュート現象による波形とゆり戻し現象による波形とが互いに打ち消し合うようになる。【選択図】図１
2009237323.tif 000002
【特許請求の範囲】
【請求項１】
全体としてマトリクス状に配置され、各々が液晶素子を有する複数の画素と、
各画素の液晶素子に対して映像信号に基づく駆動電圧を印加することにより表示駆動を行う駆動手段と
を備え、
各画素に対する表示駆動の単位フレーム期間が、複数のサブフレーム期間により構成され、
前記駆動手段は、前記映像信号に基づき、各画素に対する表示駆動を、前記サブフレーム期間ごとに時間的に分割した分割駆動によって行うと共に、各サブフレーム期間の映像信号に対してオーバードライブ処理を行う際に、前記複数のサブフレーム期間のうちの一のサブフレーム期間群では、状態遷移前後の階調により定まる適切なオーバードライブ量よりも大きなオーバードライブ量を用い、前記複数のサブフレーム期間のうちの他の一のサブフレーム期間群では、前記適切なオーバードライブ量よりも小さなオーバードライブ量を用いる
ことを特徴とする液晶表示装置。
【請求項２】
前記駆動手段は、前記映像信号における輝度レベルと各サブフレーム期間における輝度レベルとをそれぞれ対応付けてなるＬＵＴ（ルックアップテーブル）を用いることにより、各サブフレーム期間における分割駆動を行う
ことを特徴とする請求項１に記載の液晶表示装置。
【請求項３】
前記単位フレーム期間が、
低電圧階調の階調表現に用いられるサブフレーム期間を有する第１のサブフレーム期間群と、
前記低電圧階調よりも高電圧の階調である高電圧階調の階調表現に用いられるサブフレーム期間を有する第２のサブフレーム期間群と
を含んで構成され、
前記駆動手段は、前記第１のサブフレーム期間群では、前記適切なオーバードライブ量よりも大きなオーバードライブ量を用いると共に、前記第２のサブフレーム期間群では、前記適切なオーバードライブ量よりも小さなオーバードライブ量を用いる
ことを特徴とする請求項２に記載の液晶表示装置。
【請求項４】
前記第１のサブフレーム期間群が、前記低電圧階調の階調表現に用いられる１つのサブフレーム期間を有し、
前記第２のサブフレーム期間群が、前記高電圧階調の階調表現に用いられる１つのサブフレーム期間を有する
ことを特徴とする請求項３に記載の液晶表示装置。
【請求項５】
前記単位フレーム期間が、前記第１および第２のサブフレーム期間群には属しないサブフレーム期間を有する第３のサブフレーム期間群をさらに含み、
前記駆動手段は、前記第３のサブフレーム期間群では、前記適切なオーバードライブ量を用いる
ことを特徴とする請求項３に記載の液晶表示装置。
【請求項６】
前記第１のサブフレーム期間群が、前記低電圧階調の階調表現に用いられる１つのサブフレーム期間を有し、
前記第２のサブフレーム期間群が、前記高電圧階調の階調表現に用いられる１つのサブフレーム期間を有し、
前記第３のサブフレーム期間群が、前記第１および第２のサブフレーム期間群には属しない１つのサブフレーム期間を有する
ことを特徴とする請求項３に記載の液晶表示装置。
【請求項７】
前記駆動手段は、複数の単位フレーム期間のオリジナル画像において動き補償を用いて生成された補間画像を利用して、各サブフレーム期間における分割駆動を行う
ことを特徴とする請求項１に記載の液晶表示装置。
【請求項８】
前記駆動手段は、前記オリジナル画像からなるサブフレーム期間群では、前記適切なオーバードライブ量よりも大きなオーバードライブ量を用いると共に、前記補間画像からなるサブフレーム期間群では、前記適切なオーバードライブ量よりも小さなオーバードライブ量を用いる
ことを特徴とする請求項７に記載の液晶表示装置。
【請求項９】
前記駆動手段は、前記オーバードライブ処理の際に、前記一のサブフレーム期間群と前記他の一のサブフレーム期間群との間で、互いに異なるＬＵＴ（ルックアップテーブル）を用いる
ことを特徴とする請求項１に記載の液晶表示装置。
【請求項１０】
前記液晶素子が、垂直配向（ＶＡ）モードの液晶を含んで構成されている
ことを特徴とする請求項１に記載の液晶表示装置。
【発明の詳細な説明】
【技術分野】
【０００１】
本発明は、表示駆動の際の単位フレーム期間が複数のサブフレーム期間により構成されている液晶表示装置に関する。
【背景技術】
【０００２】
近年、液晶ディスプレイ（ＬＣＤ；Liquid Crystal Display）を備えた液晶表示装置が大きな発展を続けている。例えば、ＰＣ（Personal Computer）に用いられる液晶表示装置では、従来、静止画の表示が中心であったが、近年、グラフィックスシステムとして動画像の表示や、モニタとしてビデオ映像の表示等がなされている。すなわち、ＣＲＴ（Cathode Ray Tube）に代わってＬＣＤが広く用いられるようになっており、ＬＣＤでの動画表示の技術についての関心が、富に高まってきている。
【０００３】
ところで、このＬＣＤに動画像を表示する際に大きな問題となるのは、液晶の応答速度の遅さである。すなわち、応答速度の遅い表示装置に動画を映すと、残像が見えてしまうため、表示品位を損なうことになる。
【０００４】
そこで、このようなＬＣＤにおける応答速度の改善策の一つとして、いわゆるオーバードライブ技術がある（例えば、特許文献１，２）。このオーバードライブ技術は、ステップ入力に対する応答特定の改善を図るため、例えば入力変化の最初のフレームにおいて、目的の電圧よりも高い電圧を印加させることにより、輝度の状態遷移を加速させるものである。このようなオーバードライブ技術を利用することで、液晶表示装置において、中間調における応答速度を向上させることが可能になる。
【０００５】
【特許文献１】特公昭６３−２５５５６号公報
【特許文献２】特開２００５−１０７４９１号公報
【発明の開示】
【発明が解決しようとする課題】
【０００６】
ところが、例えば、垂直配向型液晶を用いたＶＡ（Vertical Alignment）モードを採用した液晶表示装置では、例えば図９中の符号Ｐ２０３で示したように、オーバードライブ処理を行った直後には所望の表示がなされる（ステップ入力である画像データＤ２００により設定された輝度に達する）ものの、次のフレーム期間において通常の駆動を行うと、応答が完了していない状態（画像データＤ２００により設定された輝度に達していない状態）に戻ってしまうことがある。このような現象はゆり戻し（バックフロー）と呼ばれており、応答特性低下の一因となっている。
【０００７】
一方、このようなゆり戻し現象を回避するため、さらに強いオーバードライブ処理を施した場合、液晶の応答特性は改善されるものの、例えば図９中の符号Ｐ２０４で示したように、今度はオーバーシュート現象やアンダーシュート現象が発生してしまう。このようなオーバーシュート現象等が発生すると、表示画質が劣化してしまうことになる。
【０００８】
このように従来の技術では、応答速度を向上させつつ表示画質を保持するのが困難であり、改善の余地があった。
【０００９】
なお、このような問題は、これまで説明したＶＡモードの液晶に特有のものではなく、他のモードの液晶についても同様に生ずるものである。
【００１０】
本発明はかかる問題点に鑑みてなされたもので、その目的は、応答速度を向上させつつ表示画質を保持することが可能な液晶表示装置を提供することにある。
【課題を解決するための手段】
【００１１】
本発明の液晶表示装置は、全体としてマトリクス状に配置され、各々が液晶素子を有する複数の画素と、各画素の液晶素子に対して映像信号に基づく駆動電圧を印加することにより表示駆動を行う駆動手段とを備えたものである。ここで、各画素に対する表示駆動の単位フレーム期間は、複数のサブフレーム期間により構成されている。また、上記駆動手段は、映像信号に基づき、各画素に対する表示駆動を、サブフレーム期間ごとに時間的に分割した分割駆動によって行うようになっている。また、この駆動手段は、各サブフレーム期間の映像信号に対してオーバードライブ処理を行う際に、複数のサブフレーム期間のうちの一のサブフレーム期間群では、状態遷移前後の階調により定まる適切なオーバードライブ量よりも大きなオーバードライブ量を用いると共に、複数のサブフレーム期間のうちの他の一のサブフレーム期間群では、上記適切なオーバードライブ量よりも小さなオーバードライブ量を用いるようになっている。
【００１２】
本発明の液晶表示装置では、各画素の液晶素子に対する表示駆動の際に、映像信号に基づき、各画素に対する表示駆動がサブフレーム期間ごとに時間的に分割され、分割駆動がなされる。また、各サブフレーム期間の映像信号に対してオーバードライブ処理を行う際に、複数のサブフレーム期間のうちの一のサブフレーム期間群では、状態遷移前後の階調により定まる適切なオーバードライブ量よりも大きなオーバードライブ量が用いられることにより、液晶の応答が早まると共に、オーバーシュート現象が発生する。一方、複数のサブフレーム期間のうちの他の一のサブフレーム期間群では、上記適切なオーバードライブ量よりも小さなオーバードライブ量が用いられることにより、液晶の応答が緩やかとなると共に、ゆり戻し（バックフロー）現象が発生し得る。したがって、１フレーム期間全体では、各サブフレーム期間群の時間積分によって、オーバーシュート現象による波形とゆり戻し現象による波形とが互いに打ち消し合うと共に、液晶の応答特性が改善されることになる。
【発明の効果】
【００１３】
本発明の液晶表示装置によれば、各画素の液晶素子に対する表示駆動の際に、映像信号に基づき、各画素に対する表示駆動をサブフレーム期間ごとに時間的に分割した分割駆動を行うと共に、各サブフレーム期間の映像信号に対してオーバードライブ処理を行う際に、複数のサブフレーム期間のうちの一のサブフレーム期間群では、状態遷移前後の階調により定まる適切なオーバードライブ量よりも大きなオーバードライブ量を用いると共に、複数のサブフレーム期間のうちの他の一のサブフレーム期間群では、上記適切なオーバードライブ量よりも小さなオーバードライブ量を用いるようにしたので、液晶の応答特性が改善されると共に、１フレーム期間全体において、オーバーシュート現象による波形とゆり戻し現象による波形とが互いに打ち消し合うようになる。よって、応答速度を向上させつつ、表示画質を保持することが可能となる。
【発明を実施するための最良の形態】
【００１４】
以下、本発明の実施の形態について、図面を参照して詳細に説明する。
【００１５】
図１は、本発明の一実施の形態に係る液晶表示装置（液晶表示装置１）の全体構成を表すものである。この液晶表示装置１は、液晶表示パネル２と、バックライト部３と、映像信号処理部４と、データドライバ５１と、ゲートドライバ５２と、タイミング制御部６１と、バックライト制御部６３とを備えている。
【００１６】
バックライト部３は、液晶表示パネル２に対して光を照射する光源であり、例えばＣＣＦＬ（Cold Cathode Fluorescent Lamp：冷陰極蛍光ランプ）やＬＥＤ（Light Emitting Diode：発光ダイオード）などを含んで構成される。
【００１７】
液晶表示パネル２は、後述するゲートドライバ５２から供給される駆動信号に従って、データドライバ５１から供給される駆動電圧に基づいてバックライト部３から発せられる光を変調することにより、映像信号Ｄinに基づく映像表示を行うものである。この液晶表示パネル２は、全体としてマトリクス状に並んで配置された複数の画素２０を含んで構成されている。各画素２０は、Ｒ（Red：赤），Ｇ（Green：緑）またはＢ（Blue：青）に対応する画素（図示しないＲ，Ｇ，Ｂ用のカラーフィルタが設けられている画素であり、Ｒ，Ｇ，Ｂの色の表示光を射出する画素）により構成されている。また、各画素２０内には、画素回路が形成されている。なお、この画素回路の詳細構成については、後述する（図２）。
【００１８】
映像信号処理部４は、画像処理部４１と、サブフレーム生成部４２と、フレームメモリ４０と、オーバードライブ処理部４３と、３つのＬＵＴ（ルックアップテーブル）保持部４２０，４３１，４３２とを有している。
【００１９】
画像処理部４１は、外部からの映像信号Ｄinに対して所定の画像処理を施すことにより、ＲＧＢ信号である映像信号Ｄ１を生成するものである。
【００２０】
サブフレーム生成部４２は、ＬＵＴ保持部４２０に保持されているＬＵＴ（後述するＬＵＴ１）を用いることにより、画像処理部４１から供給される映像信号Ｄ１に基づき、２つのサブフレーム期間（後述するサブフレーム期間ＳＦ１，ＳＦ２）用の２つの映像信号Ｄ２１，Ｄ２２を生成すると共に、これら映像信号Ｄ２１，Ｄ２２を、オーバードライブ処理部４３およびフレームメモリ４０へ供給するものである。
【００２１】
なお、上記ＬＵＴは、映像信号Ｄ１の輝度レベルの階調（入力階調）と、２つのサブフレーム期間に対応する映像信号Ｄ２１，Ｄ２２の輝度レベルの階調（各サブフレーム期間の階調）とを、Ｒ，Ｇ，Ｂに対応する画素の映像信号ごとに対応付けてなるものである。このＬＵＴ保持部４２０に保持されているＬＵＴの詳細については、後述する（図３）。
【００２２】
フレームメモリ４０は、サブフレーム生成部４２から供給される各サブフレーム期間の映像信号Ｄ２１，Ｄ２２を記憶しておくフレームメモリである。これにより、１フレーム期間前の各サブフレーム期間の映像信号Ｄ２１，Ｄ２２がそれぞれ、オーバードライブ処理部４３へ供給されるようになっている。
【００２３】
オーバードライブ処理部４３は、サブフレーム生成部４２から供給される現在のフレーム期間における各サブフレーム期間の映像信号Ｄ２１，Ｄ２２と、フレームメモリ４０に蓄積されている１つ前のフレーム期間における各サブフレーム期間の映像信号Ｄ２１，Ｄ２２を基に、各画素２０において２つのサブフレーム期間ごとにオーバードライブ処理を行うと共に、このオーバードライブ処理後の各サブフレーム期間の映像信号Ｄ３１，Ｄ３２ａをそれぞれ、タイミング制御部６１へと供給するものである。
【００２４】
なお、このようなオーバードライブ処理の際、ＬＵＴ保持部４３１に保持されている映像信号Ｄ２１用のＬＵＴ（後述するＬＵＴ２１）と、ＬＵＴ保持部４３２に保持されている映像信号Ｄ２２用のＬＵＴ（後述するＬＵＴ２２）との２つのＬＵＴが用いられることにより、映像信号Ｄ２１と映像信号Ｄ２２との間で、オーバードライブ量が互いに異なることとなるようにしている。これらＬＵＴ保持部４３１，４３２に保持されているＬＵＴの詳細については、後述する（図４）。
【００２５】
ゲートドライバ５２は、タイミング制御部６１によるタイミング制御に従って、液晶表示パネル２内の各画素２０を図示しない走査線（後述するゲート線Ｇ）に沿って線順次駆動するものである。
【００２６】
データドライバ５１は、液晶表示パネル２の各画素２０へ、タイミング制御部６１から供給される各サブフレーム期間の映像信号Ｄ３１，Ｄ３２に基づく駆動電圧を供給するものである。具体的には、このデータドライバ５１は、映像信号Ｄ３１，Ｄ３２に対してそれぞれＤ／Ａ変換を施すことにより、アナログ信号である映像信号（上記駆動電圧）を生成し、各画素２０へ出力するようになっている。
【００２７】
バックライト駆動部６２は、バックライト部３の点灯動作を制御するものである。タイミング制御部６１は、ゲートドライバ５２およびデータドライバ５１の駆動タイミングを制御すると共に、映像信号Ｄ３１，Ｄ３２をデータドライバ５１へ供給するものである。
【００２８】
次に、図２を参照して、各画素２０に形成された画素回路の回路構成について詳細に説明する。
【００２９】
例えば図２に示したように、画素２０には、液晶素子２２Ａが設けられていると共に、ＴＦＴ素子２１が接続されている。この画素２０にはまた、駆動対象の液晶素子を線順次で選択するための１本のゲート線Ｇと、駆動対象の液晶素子に対して駆動電圧（データドライバ５１から供給される駆動電圧）を供給するための１本のデータ線Ｄとが接続されている。
【００３０】
液晶素子２２は、データ線ＤからＴＦＴ素子２１を介して一端に供給される駆動電圧に応じて、表示のための動作を行う（表示光を射出する）表示要素として機能している。この液晶素子２２は、例えばＶＡモードの液晶により構成された液晶層（図示せず）と、この液晶層を挟む一対の電極（図示せず）とを含んで構成されている。これら一対の電極のうちの一方（一端）側は、ＴＦＴ素子２１のソースに接続され、他方（他端）側は接地されている。
【００３１】
ＴＦＴ素子２１は、ＭＯＳ−ＦＥＴ（Metal Oxide Semiconductor−Field Effect Transistor）により構成されており、ゲートがゲート線Ｇに接続され、ソースが液晶素子２２の一端に接続され、ドレインがデータ線Ｄに接続されている。このＴＦＴ素子２１は、液晶素子２２の一端に対し、画素２０用の駆動電圧（映像信号Ｄ３１，Ｄ３２に基づく駆動電圧）を供給するためのスイッチング素子として機能している。具体的には、ゲートドライバ５２からゲート線Ｇを介して供給される選択信号に応じて、データ線Ｄと液晶素子２２の一端との間を選択的に導通させるようになっている。
【００３２】
次に、図３を参照して、サブフレーム生成部４２において用いられるＬＵＴ（ＬＵＴ１）について詳細に説明する。なお、以下説明する特性図においては、一例として、映像信号の輝度レベルの階調が、０／２５５階調（黒表示状態）から２５５／２５５階調（白表示状態）までに設定されているものとする。
【００３３】
このＬＵＴ１は、例えば図３（Ａ）に示したように、画像処理部４１から供給される映像信号Ｄ１の輝度レベルの階調に基づいて、１つ目のサブフレーム期間（後述するサブフレーム期間ＳＦ１）用の映像信号Ｄ２１の輝度レベルの階調と、２つ目のサブフレーム期間（後述するサブフレーム期間ＳＦ２）用の映像信号Ｄ２２の輝度レベルの階調とをそれぞれ生成するためのものである。すなわち、例えば図３（Ｂ）に示したように、映像信号Ｄ１に基づき、各画素２０に対する表示駆動を、サブフレーム期間ＳＦ１およびサブフレーム期間ＳＦ２に時間的に２つに分割して分割駆動を行うために用いられるものである。
【００３４】
このＬＵＴ１では、入力階調が大きくなるのに応じて、サブフレーム期間ＳＦ１に対応する階調が最初に立ち上がり、その後、サブフレーム期間ＳＦ２に対応する階調が立ち上がるようになっている。これにより、例えば図３（Ｂ）に示したように、サブフレーム期間ＳＦ１では、映像信号Ｄ２１の輝度レベルが、もとの映像信号Ｄ１の輝度レベルよりも下がる（低電圧階調の階調表現に用いられる）一方、サブフレーム期間ＳＦ２では、映像信号Ｄ２２の輝度レベルが、もとの映像信号Ｄ１の輝度レベルよりも上がる（低電圧階調よりも高電圧の階調である高電圧階調の階調表現に用いられる）ようになっている。
【００３５】
次に、図４を参照して、オーバードライブ処理部４３において用いられる２つのＬＵＴ（ＬＵＴ２１，２２）について詳細に説明する。
【００３６】
ＬＵＴ２１は、例えば図４（Ａ）に示したように、オーバードライブ処理の際の前フレーム（Ｎ−１フレーム、スタートフレーム）における映像信号Ｄ２１の階調と、オーバードライブ処理の際の後フレーム（Ｎフレーム、ターゲットフレーム）における映像信号Ｄ２１の階調とに基づき、オーバードライブ処理後の後フレーム（Ｎフレーム、ターゲットフレーム）における映像信号Ｄ３１を決定するためのものである。
【００３７】
同様にＬＵＴ２２は、例えば図４（Ｂ）に示したように、オーバードライブ処理の際の前フレーム（Ｎ−１フレーム、スタートフレーム）における映像信号Ｄ２２の階調と、オーバードライブ処理の際の後フレーム（Ｎフレーム、ターゲットフレーム）における映像信号Ｄ２２の階調とに基づき、オーバードライブ処理後の後フレーム（Ｎフレーム、ターゲットフレーム）における映像信号Ｄ３２を決定するためのものである。
【００３８】
ここで、本実施の形態では、サブフレーム期間ＳＦ１とサブフレーム期間ＳＦ２との間で、オーバードライブ処理の際のオーバードライブ量（図４中におけるオーバードライブ処理後の後フレームにおける映像信号Ｄ３１，Ｄ３２の階調）が互いに異なることとなるように、ＬＵＴ２１，２２が設定されている。すなわち、サブフレーム期間ＳＦ１とサブフレーム期間ＳＦ２との間で、液晶の応答速度を改善するためのオーバードライブ量が、互いに独立に設定されている。具体的には、サブフレーム期間ＳＦ１では、状態遷移前後の階調（Ｎ−１フレームにおけるＤ２１，Ｄ２２の階調およびＮフレームにおけるＤ２１，Ｄ２２の階調）により定まる適切なオーバードライブ量よりも大きなオーバードライブ量が設定されていると共に、サブフレーム期間ＳＦ２では、上記適切なオーバードライブ量よりも小さなオーバードライブ量が設定されている。これにより、詳細は後述するが、オーバーシュート現象やゆり戻し現象が抑えられると共に、液晶の応答特性が改善されるようになっている。
【００３９】
なお、一般に、低電圧階調から中間階調への状態遷移の場合に液晶の応答速度が最も遅くなることから、ＬＵＴ２１，２２では、そのような状態遷移の場合に比較的大きなオーバードライブ量が設定される一方、中間階調から高電圧階調への状態遷移の場合には比較的小さなオーバードライブ量が設定されるようになっている。
【００４０】
ここで、サブフレーム生成部４２、オーバードライブ処理部４３、タイミング制御部６１、データドライバ５１およびゲートドライバ５２が、本発明における「駆動手段」の一具体例に対応する。また、サブフレーム期間ＳＦ１が本発明における「第１のサブフレーム期間群」の一具体例に対応し、サブフレーム期間ＳＦ２が、本発明における「第２のサブフレーム期間群」の一具体例に対応する。
【００４１】
次に、本実施の形態の液晶表示装置１の動作について詳細に説明する。
【００４２】
まず、図１〜図３を参照して、液晶表示装置１の基本動作について説明する。
【００４３】
この液晶表示装置１では、図１に示したように、外部から供給された映像信号Ｄinが画像処理部４１により画像処理され、各画素２０用の映像信号Ｄ１が生成される。そしてこの映像信号Ｄ１は、サブフレーム生成部４２へ供給され、図３に示したような各サブフレーム期間ＳＦ１，ＳＦ２用の２つの映像信号Ｄ２１，Ｄ２２が生成される。これらの映像信号Ｄ２１，Ｄ２２は、オーバードライブ処理部４３へ直接供給されると共に、フレームメモリ４０に保持された後、オーバードライブ処理部４３へ供給される。オーバードライブ処理部４３では、映像信号Ｄ２１に対してオーバードライブ処理がなされることによって映像信号Ｄ３１が生成されると共に、映像信号Ｄ２２に対してオーバードライブ処理がなされることによって映像信号Ｄ３２が生成され、これら映像信号Ｄ３１，Ｄ３２はそれぞれ、タイミング制御部６１を介してデータドライバ５１へ供給される。
【００４４】
次に、データドライバ５１では、映像信号Ｄ３１，Ｄ３２に対するＤ／Ａ変換が施され、アナログ信号である２つの映像信号が生成される。そしてこれら２つの映像信号に基づき、ゲートドライバ５２およびデータドライバ５１から出力される各画素２０内への駆動電圧によって、画素２０ごとに線順次表示駆動動作がなされる。具体的には、図２に示したように、ゲートドライバ５２からゲート線Ｇを介して供給される選択信号に応じて、ＴＦＴ素子２１のオン・オフが切り替えられ、データ線Ｄと液晶素子２２との間が選択的に導通されることにより、データドライバ５１から供給される２つの映像信号に基づく駆動電圧が液晶素子２２へと供給され、表示駆動動作がなされる。
【００４５】
すると、データ線Ｄと液晶素子２２との間が導通された画素２０では、バックライト部３０からの照明光が液晶表示パネル２において変調され、表示光として出力される。これにより、映像信号Ｄinに基づく映像表示が、液晶表示装置１において行われる。
【００４６】
この際、サブフレーム生成部４２では、例えば図３（Ａ）に示したＬＵＴ１が用いられることにより、各画素２０の液晶素子２２に対する表示駆動の際に、映像信号Ｄ１に基づき、各画素２０に対する表示駆動が時間的に２つに分割されて分割駆動がなされる。具体的には、映像信号Ｄ１に基づいて生成された映像信号Ｄ２１，Ｄ２２に基づき、各画素２０に対する表示駆動が、サブフレーム期間ＳＦ１およびサブフレーム期間ＳＦ２ごとに時間的に２つに分割されて分割駆動がなされる。すなわち、いわゆるインパルス応答性による表示駆動がなされる（擬似的な黒挿入処理がなされる）ことにより、そのような分割駆動がなされない場合と比べ、液晶表示の際のホールドぼけが改善される。
【００４７】
次に、図１〜図３に加えて図４〜図７を参照して、本発明の液晶表示装置における特徴的部分について、比較例と比較しつつ詳細に説明する。
【００４８】
本実施の形態の液晶表示装置１では、例えば図４（Ａ），（Ｂ）に示したＬＵＴ２１，２２のように、サブフレーム期間ＳＦ１では、状態遷移前後の階調（Ｎ−１フレームにおけるＤ２１，Ｄ２２の階調およびＮフレームにおけるＤ２１，Ｄ２２の階調）により定まる適切なオーバードライブ量よりも大きなオーバードライブ量が設定されると共に、サブフレーム期間ＳＦ２では、上記適切なオーバードライブ量よりも小さなオーバードライブ量が設定されるようになっている。
【００４９】
これにより、例えば図５に示したように、各サブフレーム期間ＳＦ１，ＳＦ２用の映像信号Ｄ２１，Ｄ２２に対してオーバードライブ処理を行う際に、サブフレーム期間ＳＦ１では、上記適切なオーバードライブ量よりも大きなオーバードライブ量が用いられることにより、図中の駆動電圧Ｖ３１の波形のように、液晶の応答が早まると共に、オーバーシュート現象が発生する。一方、サブフレーム期間ＳＦ２では、上記適切なオーバードライブ量よりも小さなオーバードライブ量が用いられることにより、図中の駆動電圧Ｖ３２の波形のように、液晶の応答が緩やかとなると共に、ゆり戻し（バックフロー）現象が発生し得る。したがって、１フレーム期間全体では、図中の合成波形Ｖ３（１フレーム期間全体の輝度Ｙtotal）のように、各サブフレーム期間ＳＦ１，ＳＦ２の時間積分によって、オーバーシュート現象による波形（駆動電圧Ｖ３１の波形）とゆり戻し現象による波形（駆動電圧Ｖ３２の波形）とが互いに打ち消し合うと共に、液晶の応答特性が改善されることになる。
【００５０】
また、例えば図６（Ａ），（Ｂ）に示した比較例に係る従来の液晶表示装置と、例えば図７（Ａ），（Ｂ）に示した本実施の形態の液晶表示装置１とを比較すると、以下のことが分かる。なお、図６（Ａ），図７（Ａ）は、暗い背景上を一定速度で右から左へ白い物体が移動する状態を表示しており、図６（Ｂ），図７（Ｂ）は、液晶表示装置を観測者が追従した場合の見え方について表しており、縦軸が白い物体を観測者が追従視した場合の網膜追従視の輝度であり、横軸は網膜上の位置を表している。図６と図７とを比較すると、本実施の形態では、時間的な分割駆動を行っているため、比較例とは異なり、画素位置によって応答速度が異なっていることが分かる。また、本実施の形態では、各サブフレーム期間におけるオーバードライブ処理の際に、上記のように駆動電圧Ｖ３１，Ｖ３２同士で打ち消し合うようにしているため、これら２つの駆動電圧Ｖ３１，Ｖ３２の波形が網膜上で合成され、時間ディザ効果によってホールドぼけが改善され、比較例と比べてホールドぼけが改善されていることが分かる。
【００５１】
以上のように本実施の形態では、各画素２０の液晶素子２２に対する表示駆動の際に、映像信号Ｄ１に基づき、各画素２０に対する表示駆動を時間的に２つに分割した分割駆動を行うと共に、各サブフレーム期間ＳＦ１，ＳＦ２用の映像信号Ｄ２１，Ｄ２２に対してオーバードライブ処理を行う際に、サブフレーム期間ＳＦ１では、適切なオーバードライブ量よりも大きなオーバードライブ量を用いる一方、サブフレーム期間ＳＦ２では、適切なオーバードライブ量よりも小さなオーバードライブ量を用いるようにしたので、液晶の応答特性が改善されると共に、１フレーム期間全体において、オーバーシュート現象による波形とゆり戻し現象による波形とが互いに打ち消し合うようになる。よって、応答速度を向上させつつ、表示画質を保持することが可能となる。
【００５２】
また、各画素２０に対する表示駆動を時間的に２つに分割した分割駆動を行うことにより、いわゆるインパルス応答性による表示駆動がなされる（擬似的な黒挿入処理がなされる）ため、そのような分割駆動がなされない場合と比べて液晶表示の際のホールドぼけを改善することができ、表示画質を向上させることも可能となる。
【００５３】
以上、実施の形態を挙げて本発明を説明したが、本発明はこの実施の形態に限定されるものではなく、種々の変形が可能である。
【００５４】
例えば、上記実施の形態では、サブフレーム期間ＳＦ１において適切なオーバードライブ量よりも大きなオーバードライブ量を用いると共に、サブフレーム期間ＳＦ２において適切なオーバードライブ量よりも小さなオーバードライブ量を用いる場合について説明したが、逆に、サブフレーム期間ＳＦ１において適切なオーバードライブ量よりも小さなオーバードライブ量を用いると共に、サブフレーム期間ＳＦ２において適切なオーバードライブ量よりも大きなオーバードライブ量を用いるようにしてもよい。
【００５５】
また、上記実施の形態では、サブフレーム生成部４２において、図３（Ａ）に示したようなＬＵＴ１を用いることによって、映像信号Ｄ１の輝度レベルの階調を基に２つのサブフレーム期間ＳＦ１，ＳＦ２用の映像信号Ｄ２１，Ｄ２２の輝度レベルの階調を生成する場合について説明したが、例えば図８に示したように、サブフレーム生成部４２において、複数の単位フレーム期間のオリジナル画像（この場合、２つの単位フレーム期間のオリジナル画像Ａ，Ｂ）において動き補償（動きベクトル）を用いることによって、補間画像（この場合、補間画像Ｍ（＝（Ａ＋Ｂ）／２）を生成すると共に、このような補間画像Ｍを利用して、各サブフレーム期間ＳＦ１，ＳＦ２における分割駆動を行うようにしてもよい。また、このように補間画像を利用して分割駆動を行う場合には、オリジナル画像からなるサブフレーム期間（この場合、サブフレーム期間ＳＦ１）では、適切なオーバードライブ量よりも大きなオーバードライブ量を用いると共に、補間画像からなるサブフレーム期間（この場合、サブフレーム期間ＳＦ２）では、適切なオーバードライブ量よりも小さなオーバードライブ量を用いるようにするのが好ましい。このように構成した場合、補間画像を生成するための倍速駆動における破綻を減少させることができる（補間画像を生成する際のエラーやノイズなどの副作用を低減させることができる）ため、動画像の品位を損なうことなく、液晶応答を改善することが可能となる。
【００５６】
また、上記実施の形態では、単位フレーム期間が２つのサブフレーム期間ＳＦ１，ＳＦ２により構成されている場合について説明したが、単位フレーム期間に含まれるサブフレーム期間の数はこれには限られず、任意に設定することが可能である。また、単位フレーム期間内に、適切なオーバードライブ量よりも大きなオーバードライブ量を用いるサブフレーム期間（例えば、サブフレーム期間ＳＦ１）および適切なオーバードライブ量よりも小さなオーバードライブ量を用いるサブフレーム期間（例えば、サブフレーム期間ＳＦ２）のいずれにも属しないサブフレーム期間（例えば、適切なオーバードライブ量をそのまま用いるサブフレーム期間）が含まれるようにしてもよい。また、単位フレーム期間内に、偶数個のサブフレーム期間が含まれている場合には、サブフレーム期間ごとに、オーバードライブ量を、大、小、大、小、…の順に繰り返すことが考えられ、単位フレーム期間内に、奇数個のサブフレーム期間が含まれている場合には、サブフレーム期間ごとに、オーバードライブ量を、大、小、大、小、…の順に繰り返す方法と、大、中、小の３種類を用いる方法が考えられる。
【００５７】
さらに、上記実施の形態では、ＶＡモードの液晶を挙げて説明したが、本発明は、例えばＴＮ（Twisted Nematic）モードやＩＰＳ（In-Plane Switching）モードなどの他のモードの液晶に対しても適用することが可能である。
【図面の簡単な説明】
【００５８】
【図１】本発明の一実施の形態に係る液晶表示装置の全体構成を表すブロック図である。
【図２】図１に示した画素の詳細構成を表す回路図である。
【図３】図１に示したサブフレーム生成部において用いられるＬＵＴ（ルックアップテーブル）の一例について説明するための特性図である。
【図４】図１に示したオーバードライブ処理部において用いられるＬＵＴの一例を表す特性図である。
【図５】実施の形態に係るオーバードライブ処理の際の動作波形例を表す特性図である。
【図６】比較例に係るオーバードライブ処理の際の表示画面での応答性および網膜追従視の輝度を表す特性図である。
【図７】実施の形態に係るオーバードライブ処理の際の表示画面での応答性および網膜追従視の輝度を表す特性図である。
【図８】本発明の変形例に係るサブフレーム生成部について説明するための模式図である。
【図９】従来の液晶表示装置におけるオーバードライブ処理について説明するための特性図である。
【符号の説明】
【００５９】
１…液晶表示装置、２…液晶表示パネル、２０…画素、２１…ＴＦＴ素子、２２…液晶素子、３…バックライト部、４…映像信号処理部、４０…フレームメモリ、４１…画像処理部、４２０…ＬＵＴ保持部、４２…サブフレーム生成部、４３…オーバードライブ処理部、４３１，４３２…ＬＵＴ保持部、５１…データドライバ、５２…ゲートドライバ、６１…タイミング制御部、６２…バックライト駆動部、Ｄin…映像信号、Ｄ１，Ｄ２１，Ｄ２２，Ｄ３１，Ｄ３２…映像信号、Ｇ…ゲート線、Ｄ…データ線、ＳＦ１，ＳＦ２…サブフレーム期間、ＬＵＴ１，ＬＵＴ２１，ＬＵＴ２２…ルックアップテーブル、Ｖ３１，Ｖ３２,Ｖ３…印加電圧、Ｙtotal…画素全体の輝度（合成波形）、Ａ，Ｂ…オリジナル画像、Ｍ…補間画像。
【図１】
2009237323.tif 000003
【図２】
2009237323.tif 000004
【図３】
2009237323.tif 000005
【図４】
2009237323.tif 000006
【図５】
2009237323.tif 000007
【図６】
2009237323.tif 000008
【図７】
2009237323.tif 000009
【図８】
2009237323.tif 000010
【図９】
2009237323.tif 000011